(57)【要約】【課題】歯ブラシとクリ−ムチュ−ブ、ペア−で初めて歯を磨ける。歯ブラシとクリ−ムを一体化出来たらどんなに便利か。一体化出来ても、組み立て、分解が簡単でなければ、そして、クリ−ムが１ヶ月も２ヶ月も同じチュ−ブ入りでは新鮮味が無い。歯を磨いた後の始末が短時間に出き、清潔な歯ブラシで、そして携帯に便利だったら楽しい歯磨きが出来る。【解決手段】歯ブラシの柄を工夫改造して、クリ−ムチュ−ブを埋め込み、カバ−をして、見栄えよく一体化できた。しかも、その組み立て、分解が一瞬に出き、簡単。ついでクリ−ム、チュ−ブの色分けで、赤は歯周病、黄は虫歯、緑は口臭など、と目的に応じていつも新鮮なクリ−ムが使える。クリ−ムチュ−ブが小さい為の特典である。尚、使用した後、掃除が簡単で清潔な歯ブラシだから，携帯し，いつでもどこでも磨ける。そして磨く事が楽しいから習慣化にもっていける。【選択図】図４
0003138027.tif 000002
【実用新案登録請求の範囲】
【請求項１】
本考案は、歯ブラシとクリ−ムチュ−ブの一体化をはかる為、歯ブラシを改造した本体にリングメント（クリ−ム絞り器）をセットしたクリ−ムチュ−ブを埋め込み、その本体の上に、考案された差し込みと、スライダ−ラインを仕組んだカバ−をすれば、瞬時にリングメントスライダ−歯ブラシが完成する。
【考案の詳細な説明】
【技術分野】
【０００１】本考案は、歯ブラシとクリ−ムチュ−ブを一体化し、万年筆式で携帯便利、いつでもどこでも簡単に磨けるリングメントスライダ−歯ブラシである。
【背景技術】
【０００２】古今東西「病は口から」と言われてきた。口腔、歯磨き等について関心は高く、今日におよんでいるも、その成果は関心程に上がっていないと聞く。その上、今日の社会において食生活は、多種多様。歯磨きの成果を上げることは容易でない。かかる情勢からも、口腔衛生、歯磨きの必要性を一層強くする。【０００３】それに答えて、イオン歯ブラシから電動歯ブラシや光電子歯ブラシまで数多く、それに合わせてクリ−ムも名を変え品を変えて、種々市販されている。しかし、大同小異、一過性のものが多いと聞く。何故か。【０００４】結論から申し上げると、歯ブラシとクリ−ムが別々で携帯に不便。チュ−ブからクリ−ムを出して歯ブラシにつけ、磨くまでに時間が掛かりすぎる、等々が考えられる。故に磨く回数も少なくなり、「磨かなければ気持ちが悪い。」と言う習慣化までいっていない。その上「口腔の汚れが嚥下肺炎の原因で、老人の死亡の一因である。」等の、恐さを知らなさ過ぎるから、つい、「一、二度磨かなくても．．．」となる。
【考案の開示】
【考案が解決しようとする課題】
【０００５】先にも述べたようにイオン歯ブラシから光電子歯ブラシまで、多種、クリ−ムチュ−ブもまた品をかえて種々にわたる。名前と珍しさつられて使用してみたが「成果がみえないので．．．」と言う。例えば、電動歯ブラシは、費用、充電、形態、持ち歩きの便利さ等、経済効果から考えても、それでも電動歯ブラシを必要とするのか？。疑問が残るように思える。電動の力を借りるまでもなく「専門医の指導のもと、自分に適切なクリ−ムで的確に磨く」ことを基本として、その効果は回数を多く、習慣化まで高めることにあるのではないだろうか。
【課題を解決する為の手段】
【０００６】本考案は、歯ブラシとクリ−ムチュ−ブの一体化を図った。その時、本体の柄の部分を改造し、クリ−ムチュ−ブを埋め込む場所をつくり、その上にカバ−（蓋）をつけた。本体とカバ−の接合部分は瞬時にして、合体、分解ができる構造とし、合体と同時に本体とカバ−の間にリングメントの爪が滑るスライダ−ラインが生ずるよう設計されている。
【０００７】リングメント（クリ−ム絞り器）は、クリ−ムチュ−ブの後方からチュ−ブを挟みこんで〔０００６〕の本体に埋め込む。その時リングメントの爪は、本体のスライドラインにのせ、カバ−（蓋）をすれば、一体化は完了する。
【０００８】クリ−ムチュ−ブは、クリ−ムの効能別に着色され、一目で使用目的が識別できるようにしてある。
【０００９】くちばしの長いチュ−ブ
クリ−ムチュ−ブのくちばしは長く、直接歯ブラシに流れ込み易いように、歯ブラシには傾斜と溝をつけ、植毛に行き渡る設計。歯ブラシは卵型で植え込みは二重になっている。内列を細く外列をやや太く、共に弾力のある毛を使用し、先端に行くに従い植毛を長めにした。これは口腔内の奥歯まで磨き、汚物をかき出す役目をする。
【００１０】後始末が清潔に出来るよう、クリ−ムをトンネル等くぐらせず、流れが見える仕組みで、水洗いが便利に出来る工夫をし、万年筆式にキャップをかぶせ、携帯と使用の便利さを考えた。
【考案の効果】
【００１１】「歯ブラシとクリ−ム」、二つを一つにまとめたことで、便利さ百倍。新鮮なクリ−ムでいつも磨けるとあって、苦にならない。しかも、カラ−の万年筆形式のリングメントスライダ−歯ブラシは見栄えもよく、これを内ポケットにしのばせ、いつでもどこでも容易に磨けるとあっては子供、小．中．高生、大学生、会社員、そして老人まで、磨く回数が多くなり、口腔内はいつも清潔。そして「磨かなければ気持ちが悪い。」と言う習慣まで持っていける。
【考案を実施するための最良の形態】
【００１２】以下、本発明の実施形態を図面に沿って説明する。
【図面の簡単な説明】
【００１３】
【図１】で示すように、万年筆式リングメントスライダ−歯ブラシの主体は、次の４つの素材からなる。（１）は、歯ブラシのついた本体（点線は、リングメントスライダ−ラインの部分）  （２）は、（１）の本体のカバ−となる副体（点線は、リングメントスライダ−ラインの部分）  （３）は、クリ−ムチュ−ブ  （４）は、本命のル−ラ−式リングメント（クリ−ム絞り器）
【図２】Ａ段は、１、２を真上から見た図  ６は、上底図  ７は、下底図  Ｂ段は、１、２を正面から見た図
【図３】組み立て方について  ３のクリ−ムチュ−ブの後方、締め付けの部分から４のリングメント（クリ−ム絞り器）で３のチュ−ブを挟み込む。次に３のチュ−ブを固定するために２のカバ−にある２ｃのストッパ−を３ｃの穴に通す。２が３を抱いた、その状態で１の本体の上に持ってくる。３の長いクリ−ムチュ−ブを１の本体の穴に通すと同時に１ａに２ａを、２ｂに１ｂを同時に差し込めば、１の本体と２のカバ−が合体して、歯ブラシとチュ−ブが一体化する。その［１］［２］が合体したとき、５のスライダ−ラインが生まれ、そこにリングメントの爪が乗っていれば組み立て完了。名称リングメントスライダ−歯ブラシは完成する。
【図４】上段は、リングメントスライダ−歯ブラシの完成図  下段は、上段の完成図にキャップをつけ、万年筆式にした図
【符号の説明】
［１］は、改造した歯ブラシ本体
［２］は、歯ブラシ本体のカバ−となる副体
［３］は、クリ−ム、チュ−ブ
［４］は、リングメント（クリ−ム絞り器）、ロ−ラ−式、平板式など
［５］は、リングメントスライダ−ライン
［１ａ］前合体部
［１ｂ］後合体部
［１ｂＲ］［５］のリングメントスライダ−ラインをつくる足
［１ｃ］クリ−ムチュ−ブストッパ
［１ｄ］歯ブラシ
［２ａ］前合体部
［２ａＲ］［５］のリングメントスライダ−ラインをつくる足
［２ｂ］後合体部
［２ｃ］クリ−ムチュ−ブのストッパ−
［３ａ］クリ−ムチュ−ブ
［３ｃ］クリ−ムチュ−ブの固定用穴
［４］リングメントチュ−ブしぼり器
［４ａ］リングメントの爪でスライダ−ライン上を滑る
【図１】
0003138027.tif 000003
【図２】
0003138027.tif 000004
【図３】
0003138027.tif 000005
【図４】
0003138027.tif 000006
【手続補正書】
【提出日】平成19年9月15日(2007.9.15)
【手続補正１】
【補正対象書類名】実用新案登録請求の範囲
【補正対象項目名】全文
【補正方法】変更
【補正の内容】
【実用新案登録請求の範囲】
【請求項１】
歯ブラシ本体〔３〕，カバー〔２〕の間に形成される空間内に、クリームチューブが収納される歯ブラシに於いて、
（１）収納されるクリームチューブを、後方から絞り出すように２つのローラーで挟み込むように構成されたリングメントスライダー〔４〕を有する。
（２）リングメントスライダー〔４〕の爪〔４ａ〕の歯ブラシ本体〔３〕と、カバー〔２〕の間に形成されたリングメントスライダーライン〔５〕から突出させ，爪〔４ａ〕をスライドさせることでクリームチューブを絞り出すよう構成する。
（３）クリームチューブから絞り出されたクリームを、歯ブラシ本体〔３〕の先端部に、傾斜状に結合されたブラシ部〔１ｄ〕に供給する。
（４）ブラシ部〔１ｄ〕を覆う、取り外し可能なクリップ式蓋を有する。
以上の構成を有する、リングメントスライダー式歯ブラシなる。